(57)【要約】【課題】必要に応じて任意の場所に、床面に加工を施す必要もなく、容易に安定に設置できるようにする。安全性に優れ、小型化・軽量化が可能なため安価に製造でき、取り扱いやすい構造とする。【解決手段】ゲート装置は、通路を開閉するゲート部材１８と、それを開閉駆動するゲート駆動部１６を備えている。更に、通路面を兼ねた剛性を有する平板状の基部１０と、その左右いずれか一方もしくは両方に立設されている通路規制構造物１２，１４と、基部に基部下面よりも下方と上方との間で変位可能に取り付けられた移動手段（キャスター３０）を具備し、ゲート駆動部も該基部から立設されて全体が一体化されている。キャスターを基部下面よりも下方に突出させた状態とすることで全体が移動可能であり、キャスターを基部下面よりも上方に収容することで設置面に据え置き可能になっている。【選択図】      図１
2005076182.tif 000002
【特許請求の範囲】
【請求項１】
通路を開閉するゲート部材と、該ゲート部材を開閉駆動するゲート駆動部を備えたゲート装置において、
通路面を兼ねた剛性を有する平板状の基部を具備し、該基部の左右いずれか一方もしくは両方に通路規制構造物を立設すると共に、前記ゲート駆動部も基部から立設することによって全体が一体化されており、基部を設置面に載せるだけで設置が完了するようにしたことを特徴とする簡易設置型ゲート装置。
【請求項２】
通路を開閉するゲート部材と、該ゲート部材を開閉駆動するゲート駆動部を備えたゲート装置において、
通路面を兼ねた剛性を有する平板状の基部と、該基部の左右いずれか一方もしくは両方に立設されている通路規制構造物と、基部に基部下面よりも下方と上方との間で変位可能に取り付けられた移動手段を具備し、前記ゲート駆動部も基部から立設されて全体が一体化されており、移動手段を基部下面よりも下方に突出させた状態とすることで全体が移動可能であり、移動手段を基部下面よりも上方に収容することで設置面に据え置き可能にしたことを特徴とする簡易設置型ゲート装置。
【請求項３】
移動手段が四角平板状の基部の四隅に位置するキャスターであり、該キャスターは旋回又は上下動により基部下面よりも下方に突出させたり上方に収容する変位機構によって基部に取り付けられている請求項２記載の簡易設置型ゲート装置。
【発明の詳細な説明】
【０００１】
【発明の属する技術分野】
本発明は、通行者の通過あるいは制限エリアへの入退出を規制するゲート装置に関し、更に詳しく述べると、任意の設置場所に自由に設置でき、また撤去・移動も容易に行えるようにした簡易設置型ゲート装置に関するものである。
【０００２】
【従来の技術】
【特許文献１】
特開平７−２７２０２９号公報
【０００３】
各種イベント会場での通行者の通過あるいは制限エリアへの入退出を規制するためにゲート装置が利用されている。この種のゲート装置は、通路を規制する構造物を通路幅を隔てて対向するように床面上に個別に設置し、一方もしくは両方の通路規制構造物にゲート駆動部が組み込まれ、それによってゲート部材を開閉駆動するように構成している。
【０００４】
つまり従来技術では、ゲート装置は特定の場所に設置され、固定的に用いられるのが一般的であり、通路規制構造物は床面にボルトなどによって個別に強固に据え付けられている。
【０００５】
【発明が解決しようとする課題】
常時使用されるイベント会場のような場合、あるいは駅ホームへの入退場通路などの場合には、ゲート装置を床面上の所定位置にアンカーボルトなどで固定しても何ら支障は生じないし、逆に床面に据え付けた方がゲート装置の安定性が増すため好ましい。
【０００６】
近年、学校や企業などの建物では、図書室や機密保持が必要な研究施設、放射性物質などを取り扱う管理区域などについて、ゲート装置によって入退場を規制・管理したいという要望が増えている。このような制限エリアは、様々な状況変化や環境変化によって建屋内でのレイアウト変更や規模の拡張・縮小が必要となることも多い。しかし、従来用いられているゲート装置では、撤去や移転、据え付けが容易に行えない。また臨時のイベント会場などで、特定の期間中のみゲート装置を据え付けたくても、床面に固定工を施さねばならないとすると、対応は困難となる。
【０００７】
ところで、従来技術として、移動が可能なキャスター付きのゲート装置が提案されている（特許文献１参照）。これは、ゲート装置本体の下面にキャスターを取り付けたもので、ゲート装置本体に上下に摺動可能なピンを付設し、それに対応して設置位置の床面に該ピンが挿脱可能なピン孔を形成した構成である。このゲート装置は、非常の場合に係止ピンを床面から外して１箇所に寄せ集めることで広い通路を確保できるようにして、多くの入場者がスムーズに退場できるように工夫したものである。
【０００８】
このようなゲート装置は、キャスターを備えているため移動はできるが、所定の位置で保持するためには、予め床面の所定位置に係止用のピン孔を形成しておかねばならず、常設のイベント会場での入退場の管理等には有用であるかもしれないが、容易に任意の場所で使用できるというものではない。また、ゲート装置本体が常時キャスターの上に乗っているために不安定である。広い通路を確保するためには、あるいは通路数を多くするためには、ゲート装置本体はできるだけ狭幅の方が好ましいし、できるだけ小型で軽量化した方がコストも削減できる。しかし、そのようにすると不安定さは一層大きくなり、もし通行者がつまずいたりしてよりかかったりすると、ゲート装置が転倒する危険性も予想される。従って、このような構造は、本質的に小型化・軽量化には不向きである。
【０００９】
本発明の目的は、必要に応じて任意の場所に、床面に加工を施す必要もなく、容易に安定に設置でき、安全性にも優れ、小型化・軽量化が可能なため安価に製造でき、取り扱いやすい構造の簡易設置型ゲート装置を提供することである。本発明の他の目的は、容易に移動でき、安全性にも優れた構造の簡易設置型ゲート装置を提供することである。
【００１０】
【課題を解決するための手段】
本発明は、通路を開閉するゲート部材と、該ゲート部材を開閉駆動するゲート駆動部を備えたゲート装置において、通路面を兼ねた剛性を有する平板状の基部を具備し、該基部の左右いずれか一方もしくは両方に通路規制構造物を立設すると共に、前記ゲート駆動部も該基部から立設することによって全体が一体化されており、基部を設置面に載せるだけで設置が完了するようにしたことを特徴とする簡易設置型ゲート装置である。
【００１１】
また本発明は、通路を開閉するゲート部材と、該ゲート部材を開閉駆動するゲート駆動部を備えたゲート装置において、通路面を兼ねた剛性を有する平板状の基部と、該基部の左右いずれか一方もしくは両方に立設されている通路規制構造物と、基部に基部下面よりも下方と上方との間で変位可能に取り付けられた移動手段を具備し、前記ゲート駆動部は基部から立設されて一体となっており、移動手段を基部下面よりも下方に突出させた状態とすることで全体が移動可能であり、移動手段を基部下面よりも上方に収容することで設置面に据え置き可能にしたことを特徴とする簡易設置型ゲート装置である。このように移動手段を付設すると、移動が容易となり、且つ移動手段を上下方向に変位可能にすることで、設置状態での安定性も向上する。
【００１２】
典型的には、移動手段として四角平板状の基部の四隅に位置するキャスターを採用し、該キャスターは旋回又は上下動により基部下面よりも下方に突出させたり上方に収容する変位機構によって基部に取り付けられている構造が望ましい。
【００１３】
【実施例】
図１及び図２は本発明に係る簡易設置型ゲート装置の一実施例を示しており、図１は正面図、図２は平面図である。この実施例では、通路面を兼ねた剛性を有する平板状の基部１０を用い、その基部１０の左右両方に通路規制構造物１２，１４を立設すると共に、片側（通行方向右手前側）にゲート駆動部１６が立設され、全体が一体化された構造である。
【００１４】
基部１０は、通路規制構造物１２，１４及びゲート駆動部１６を強固に支持するベースとなるもので、十分な剛性を有し、ある程度の重量を確保して安定性を高めると共に、厚すぎると（高すぎると）大きな段差ができて歩行し難くなることから薄くできるように、通常、鉄板などからなる。単なる平板でもよいが、下面側を格子状にしたり、繊維強化プラスチック等と鉄板を組み合わせるなど、任意の構造であってよい。形状的には、必要な通路幅よりも若干広めのほぼ四角形状でよい。段差を無くし歩行者がつまずかないように、基部１０の前後を傾斜面とするのがよい。通路規制構造物１２，１４は、ここでは逆Ｕ型をなす簡易的な通路ガイドである。勿論、柵型など任意の形状の構造物であってもよい。
【００１５】
このようなゲート装置は、基部１０を所定の床面位置（設置面）に単に載せるだけで設置が完了する。設置に際して床面に何らかの穴明け加工やアンカーボルトの取り付け加工などを施す必要は全くない。固定する作業も不要であり、自重で安定に保たれる。
【００１６】
ゲート駆動部１６は、基本的には通路を遮断・開放するゲート部材１８を開閉駆動及び制御する機能を有する。この実施例では、ゲート部材１８は、通路を横断する方向（図２の実線で示す位置）と通路に平行な方向（図２の仮想線で示す位置）との間で、ほぼ９０度の範囲で、揺動自在にゲート駆動部１６に取り付けられる。ゲート駆動部１６は、モータ等からなるゲート開閉駆動機構、その制御部、カード読み取り部２０などを具備し、四角柱状の筐体に収容されており、前述のように基部１０の一隅に立設されている。
【００１７】
通行者が携帯している例えば非接触式の通行カードをカード読み取り部２０にかざし、制御部によって該通行カードが許可されていると判断された場合にはゲート駆動部１６によってゲート部材１８が開き通過が可能となる。通行者の通過は、片側の通路規制構造物１４に設けた発光素子と受光素子の対２２と、反対側の通路規制構造物１２に設けた反射体２４との間で光線を常時検出し、その光線が遮断されたことで検知できる。勿論、両方の通路規制構造物に、対向するように発光素子と受光素子を設置する構成でもよい。いずれにせよ通過が検知されると、ゲート駆動部１６によってゲート部材１８が閉じる。ゲート装置本体は、基本的にはこのように動作することになる。なお、カードは非接触式の他、磁気式など任意の方式であってよい。カードに代えて、キーボードで暗証番号を入力する方式、あるいは指紋などの検出方式などであってもよい。
【００１８】
更に、この実施例では、基部に、基部下面よりも下方と上方との間で変位可能に取り付けられた移動手段を設けている。その移動手段を基部下面よりも下方に突出させた状態とすることで全体が移動可能となり、移動手段を基部下面よりも上方に収容することで設置面に据え置き可能となる。
【００１９】
移動手段は、典型的には基部１０の四隅に位置するキャスター３０である。この実施例では、キャスター３０は変位機構によって基部下面よりも下方に突出させたり上方に収容できるように基部に取り付けられている。
【００２０】
キャスターとその取り付け状態の詳細を図３に示す。Ａはゲート装置設置時の状態を表し、Ｂは移動時の状態を表している。キャスター３０は、ベース部材３２によって車輪３４を回転自在に支承している構造であり、該ベース部材３２は片側でヒンジ３６によって旋回可能に基部１０の側面に取り付けられている。ベース部材３２には複数の袋ナット３８が突設されていて、それに対応して基部１０には嵌合穴４０が形成されている。また、ベース部材３２のヒンジ取り付け側には永久磁石４２が固着されている。ベース部材３２の旋回可能範囲は、ベース部材３２が基部１０上で起立する状態（図３のＡ参照）からベース部材３２の背面が基部１０の下面に密着する状態（図３のＢ参照）までのほぼ２７０度になっている。
【００２１】
設置時には、図３のＡに示すように、４個のキャスター３０を跳ね上げればよい。すると、永久磁石４２が基部１０に磁気的に吸着するため、各キャスター３０は起立した状態で固定される。これによって、基部１０が設置面（床面）に直接載置された状態となるため、ゲート装置全体を所定の位置で安定に保つことができる。従って、基部１０の上を通行者が歩行しても、ぐらつくこともない。なお、基部によって設置面（床面）が傷つかないように、あるいはずれ防止のために、設置面によっては基部の下面にゴムシートなどのクッション材を貼付しておくのも有効である。
【００２２】
もしレイアウトの変更などでゲート装置を移動する必要が生じた時には、図３のＢに示すように、４個のキャスター３０を引き下ろせばよい。すると、キャスター３０は旋回し、ベース部材３２の背面から突出している袋ナット３８が基部１０の嵌合穴４０に嵌り込むとともにベース部材３２の背面が基部１０の下面に密着する。袋ナット３８と嵌合穴４０との形状的な結合によって横方向の相対的なずれを防止でき、ゲート装置本体の重量は直接ベース部材３２の背面に加わるため安定に保持できる。このようにキャスター３０が下方に突出固定されることで、台車を動かす場合のように容易に移動することができる。
【００２３】
なお、キャスター３０の上げ下げには、逆Ｕ型の通路規制構造物１２，１４を掴んで左右片側ずつ持ち上げて行えばよく、特別な持ち上げ装置は不要である。このような旋回方式のキャスター変位機構は、キャスターを引き上げた状態では基部上に起立し、引き下ろした状態では基部下面に入り込むため、基部面積を有効利用できる利点がある。
【００２４】
キャスターとその取り付け状態の他の例を図４に示す。これは、キャスター３０をリンク機構５０によって垂直動させる構造である。図３と同じ部材については、説明を簡略化するため同一符号を付す。クランク状の取付部材５２を、基部１０から側方に張り出すように取り付ける。その取付部材５２の張り出した部分の下方に複数のリンクステー５４を介してキャスター３０を取り付ける。
【００２５】
ゲート装置の設置時には、実線で示すようにリンクステー５４を折りたたむ。すると、キャスター３０は基部１０の下面よりも上昇し、基部１０が設置面（床面）に直接載置された状態となるため、ゲート装置全体を所定の位置で安定に保つことができる。ゲート装置の移動時には、点線で示すようにリンクステー５４を直線状に引き伸ばす。すると、キャスター３０は基部１０の下面よりも下降し突出するため、該キャスター３０によってゲート装置全体を容易に移動することができる。
【００２６】
キャスターとその取り付け状態の更に他の例を図５に示す。これは、キャスター３０を送りねじ機構６０によって垂直動させる構造である。図３と同じ部材については、説明を簡略化するため、同一符号を付す。クランク状の取付部材６２を基部１０から側方に張り出すように取り付ける。そして、その取付部材６２の張り出した部分に門型ステー６４を上下動自在に取り付け、該門型ステー６４の下端にキャスター３０を取り付ける。また取付部材６０の張り出した部分の中央に送りねじ６６を立設し、前記門型ステー６４と螺合させ、送りねじ６６の上端に回転用ノブ６８を固着する。
【００２７】
ゲート装置の設置時には、実線で示すようにノブ６８を回して門型ステー６４を引き上げる。すると、キャスター３０は基部１０の下面よりも上昇し、基部１０が設置面（床面）に直接載置された状態となるため、ゲート装置全体を所定の位置で安定に保つことができる。次にゲート装置の移動時には、点線で示すようにノブ６８を逆方向に回して門型ステー６４を降ろす。すると、キャスター３０は基部１０の下面よりも下降し突出するため、ゲート装置全体を容易に移動することができる。
【００２８】
以上、本発明の好ましい実施例について詳述したが、本発明はかかる構成のみに限定されるものではない。通路規制構造物は片側のみでもよい。反対側については、建物の壁や柱など、あるいは室内の設備（棚などの側面や背面）を利用して通路を規制することもできる。ゲート駆動部を通路の左右両方に設けて、観音開きのように開閉する構造でもよい。ゲート部材は、板状のみならず、枠状や棒状などでもよく、水平面内で揺動する構造の他、鉛直面内で揺動する構造も可能である。
【００２９】
【発明の効果】
本発明は上記のように、通路面を兼ね剛性を有する平板状の基部に通路規制構造物とゲート駆動部を立設することによって全体を一体化したゲート装置であるから、単に任意の設置面に載せるだけで、床面に加工を施す必要もなく、容易に安定に設置できるし、撤去も簡単に行える。また、広い面積の基部がベースとなっているために、安全性に優れ、ゲート駆動部や通路規制構造物の小型化・軽量化に対応できるため安価に製造でる。
【００３０】
また本発明は、基部下面よりも下方と上方との間で変位可能な移動手段を設けると、移動手段を基部下面よりも下方に突出させた状態とすることで全体を容易に移動することができ、また移動手段を基部下面よりも上方に収容することで任意の設置面に容易に据え置くことができる。
【図面の簡単な説明】
【図１】本発明に係る簡易設置型ゲート装置の一実施例を示す正面図。
【図２】その平面図。
【図３】キャスターとその取り付け状態の一例を示す説明図。
【図４】キャスターとその取り付け状態の他の例を示す説明図。
【図５】キャスターとその取り付け状態の更に他の例を示す説明図。
【符号の説明】
１０  基部
１２，１４  通路規制構造物
１６  ゲート駆動部
１８  ゲート部材
３０  キャスター
３６  ヒンジ
【図１】
2005076182.tif 000003
【図２】
2005076182.tif 000004
【図３】
2005076182.tif 000005
【図４】
2005076182.tif 000006
【図５】
2005076182.tif 000007